(57)【要約】      （修正有）【課題】設置取り付けが簡単で清掃がし易く、効果的な節水を実現すると共に、効率的にボリューム感のある泡沫水を生成して吐水することが可能な水量調整具を提供する。【解決手段】水量調整具１は、薄型の円盤形状から成り、その中心部分に水道水の流路となる貫通孔１１が設けられている。また、水量調整具の外周部には、貫通孔の下面から高さＨが２ｍｍの周壁１２が設けられている。水道水は、水量調整具によって一気に口径を絞られることで水圧が上昇し、貫通孔の下方に拡散して排水される。貫通孔を通過した水道水は、泡沫水生成体へ流入する直前で水量が調整されるので節水効果が得られるだけでなく、貫通孔の口径が流出側で大きくなることで泡沫水生成体内部が負圧状態となり、空気導入孔から取り込まれた空気と効率良く混ざり合い、ボリューム感のある泡沫水を生成することができる。【選択図】図１
0003222420.tif 000002
【実用新案登録請求の範囲】
【請求項１】
水道水の入口側に第１の網状体と前記水道水の出口側に第２の網状体とを配置して成る円筒状流水路の周壁に空気導入孔を設けた泡沫水を生成するための泡沫水生成体と、該泡沫水生成体をその中に収容するとともに水道水の吐水口部分に水密用パッキング部材を介して取り付けられる取付キャップと、を有する泡沫装置に用いられる水量調整具であって、
前記水量調整具は、少なくとも１以上の貫通孔を有する高さが略３ｍｍで厚さが略１ｍｍで前記第１の網状体との接触面から前記貫通孔の下面までの距離を２ｍｍとする空洞領域を有する円盤状体であり、前記貫通孔の口径が異なる複数の水量調整具を用意し、節水目標、設置場所、用途に応じて、前記泡沫装置の前記取付キャップ内の前記第１の網状体と前記水道水の吐水口部分の間に嵌挿して用いられることを特徴とする水量調整具。
【請求項２】
前記水量調整具の外径は、前記水道水の吐水口部分の径に合わせて形成されていることを特徴とする請求項１に記載の水量調整具。
【請求項３】
前記貫通孔は、前記水道水の流出側口径が流入側口径よりも大きくなるように形成されていることを特徴とする請求項１又は２に記載の水量調整具。
【請求項４】
前記貫通孔は、前記水道水の流出側口径が流入側口径よりも小さくなるように形成されていることを特徴とする請求項１又は２に記載の水量調整具。
【請求項５】
前記貫通孔は、前記水道水の流入側から該貫通孔の中間位置にかけてテーパー状に収束するとともに該中間位置から前記水道水の流出側にかけて逆テーパー状に拡開するように形成されていることを特徴とする請求項１又は２に記載の水量調整具。
【考案の詳細な説明】
【技術分野】
【０００１】  本考案は、水量調整具に関し、特に水道の吐水口部分に取り付けられている泡沫装置内に嵌装して用いる水量調整具に関する。
【背景技術】
【０００２】  従来、水道蛇口等に排水量を抑制するための節水コマを取り付けることで、蛇口を開き過ぎても排水量を増加させないようにする節水方法が知られている。一般的な節水コマの構造としては、円柱状のコマ本体に１以上の貫通孔を形成したものを水吐出管に装着するものである。【０００３】  例えば、特許文献１には、偏平な円柱状のコマ本体の水流入側端面から水排出側端面に渡って同一径から成る３本の貫通孔が形成されており、当該貫通孔が水流出側に向けて外方向に傾斜した節水コマが開示されている。この節水コマは、吐出水量の抑制が目的であるため、その取り付け位置は吐水管の元部分となる。【０００４】  特許文献２には、水を排出する蛇口等に装着可能な取付カバーと、この取付カバーの内部に嵌挿される節水コマと、水漏れを防止するための水密用パッキングとを備えた節水コマの構造が開示されており、当該節水コマには、中央箇所に噴出された水が当たる緩衝部が形成されており、この緩衝部に当たって緩衝された水が排水孔を通じて排出されるという節水コマ構造が示されている。
【先行技術文献】
【特許文献】
【０００５】
【特許文献１】特開平９−９５９８５
【特許文献２】特開２００７−１６２４００
【考案の概要】
【考案が解決しようとする課題】
【０００６】  しかしながら、特許文献１に開示される節水コマは、その設置場所が吐水管の元部分であるため導入しづらいと共に、清掃しづらく、効率的な泡沫水を得るという観点では、吐水管元部で一旦水量が絞られるものの、直後に吐水管の口径に合った水量へと戻り、若干水圧が変化してしまうため、吐水口に設置される泡沫装置で生成される泡沫水を効率的に得るという点で問題があった。【０００７】  また、特許文献２に開示される節水コマ構造の場合、吐水口部分に節水コマを挿入するものであり設置は容易であるが、排水される水の勢い（水流や水圧）を低下させることが目的であるため、節水コマの中央箇所に緩衝部を設けて緩衝された水を排水孔から排出するものであり、吐水口に設置される泡沫装置で生成される泡沫水を効率的に得るという点で問題があった。【０００８】  本考案は、上記問題点を解決することを目的とするものであって、設置取り付けが簡単であり、清掃がし易く、効果的な節水を実現すると共に、効率的に泡沫水を生成して吐水することが可能な水量調整具を提供することを目的とする。
【課題を解決するための手段】
【０００９】  かかる目的を達成するため、水道水の入口側に第１の網状体と前記水道水の出口側に第２の網状体とを配置して成る円筒状流水路の周壁に空気導入孔を設けた泡沫水を生成するための泡沫水生成体と、該泡沫水生成体をその中に収容するとともに水道水の吐水口部分に水密用パッキング部材を介して取り付けられる取付キャップと、を有する泡沫装置に用いられる水量調整具であって、前記水量調整具は、少なくとも１以上の貫通孔を有する高さが略３ｍｍで厚さが略１ｍｍで前記第１の網状体との接触面から前記貫通孔の下面までの距離を２ｍｍとする空洞領域を有する円盤状体であり、前記貫通孔の口径が異なる複数の水量調整具を用意し、節水目標、設置場所、用途に応じて、前記泡沫装置の前記取付キャップ内の前記第１の網状体と前記水道水の吐水口部分の間に嵌挿して用いられることを特徴とする水量調整具を提供するものである。【００１０】  前記水量調整具の外径は、前記水道水の吐水口部分の径に合わせて形成されていることを特徴とする。【００１１】  前記貫通孔は、前記水道水の流出側口径が流入側口径よりも大きくなるように形成されていることを特徴とする。【００１２】  前記貫通孔は、前記水道水の流出側口径が流入側口径よりも小さくなるように形成されていることを特徴とする。【００１３】  前記貫通孔は、前記水道水の流入側から該貫通孔の中間位置にかけてテーパー状に収束するとともに該中間位置から前記水道水の流出側にかけて逆テーパー状に拡開するように形成されていることを特徴とする。
【考案の効果】
【００１４】  本考案によれば、水道の吐水口部分に取り付けられている泡沫装置に簡単に取り付けることができるので、清掃が容易であり、貫通孔の口径によって排水量を抑制するので効率的に節水することができる。【００１５】  また、本考案によれば、第１の網状体との接触面から貫通孔の下面までの距離を少なくとも２ｍｍ以上とするための空洞領域を有する構成としたので、水道水が泡沫装置に流入する直前に貫通孔で口径を絞ることにより一気に水圧が上昇し、貫通孔の流出側の空洞領域に広がって排水することで負圧状態が生じ、この負圧状態により泡沫装置への吸気効率及び当該泡沫装置内での混気効率を向上するので、効率的に泡沫水を生成して吐水することができる。
【図面の簡単な説明】
【００１６】
【図１】本考案の実施形態に係る水量調整具の全体形状を示す底面側斜視図である。
【図２】本考案の実施形態に係る水量調整具の上面図である。
【図３】本考案の実施形態に係る水量調整具の断面図である。
【図４】本考案の実施形態に係る水量調整具の泡沫装置へ嵌挿する状況を示した図である。
【図５】本考案の実施形態に係る水量調整具の嵌挿状態を示す平面図である。
【図６】本考案の実施形態に係る水量調整具の設置場所を示す斜視図である。
【図７】本考案の実施形態に係る水量調整具の他の例を示す断面図である。
【考案を実施するための形態】
【００１７】  以下、添付図面を参照して本考案の実施形態について詳説する。
図１は、本考案の実施形態に係る水量調整具の全体形状を示す底面側斜視図である。
図１に示すように、本考案の実施形態に係る水量調整具１は、薄型の円盤形状から成るものであり、その厚さは約３ｍｍ程度である。水量調整具１の中心部分には、水道水の流路となる貫通孔１１が１つ設けられている。
【００１８】  また、水量調整具１の外周部には、約１ｍｍ程度の厚さで貫通孔１１の下面からの高さＨが２ｍｍの周壁１２が設けられている。この周壁１２を設けることで、水量調整具１と後述する泡沫生成体２の上面に設置される第１の網状体２１との間に適宜な空洞領域が形成される。この空洞領域が形成されることにより、貫通孔１１を通過する水道水は、空洞領域内で拡散して第１の網状体２１に到達する。
【００１９】  なお、周壁１２の高さＨは、２ｍｍに限定するものではなく、少なくとも２ｍｍ以上であれば適宜変更可能である。２ｍｍ未満とした場合、貫通孔１１から排出される水道水が第１の網状体２１全体に十分に分散（拡散）せず、効率的な泡沫水を生成しづらくなる。
【００２０】  図２は、本考案の実施形態に係る水量調整具の上面図である。
図２に示す水量調整具１は、水道水の入口側から見たものであり、平滑面に対して貫通孔１１が設けられている。水道水は、この貫通孔１１により一気に口径が絞られるため、水圧が上昇する。なお、この水量調整具１の外径は水道水の吐水口（パイプ）の径に合わせて形成される。例えば、吐水口（パイプ）の径が１３ｍｍであるとすれば、水量調整具１の外径もそれに合わせて１３ｍｍに形成される。
【００２１】  図３は、本考案の実施形態に係る水量調整具の断面図である。
図３において、貫通孔１１への水道水の流入は図面上方からであり、入口側の口径よりも出口側の口径の方が約１ｍｍ程度大きくなるように貫通孔１１の中間位置から逆テーパー状に形成されている。このように貫通孔１１の形状を水道水の流入方向から見て逆テーパー状とすることにより、水道水は、一気に口径を絞られて水圧が上昇し、貫通孔１１の逆テーパーとあいまって下方に広がって貫通孔１１から排水される。
【００２２】  なお、貫通孔１１の口径（入口側と出口側）の大きさは、任意に変更可能であるが、例えば、予め、口径が１．０ｍｍから０．５ｍｍおきで、口径の異なる複数の水量調整具１を用意しておき、節水目標、設置場所、用途等に応じて簡単に取り付け取り外しが可能な構成とするのが好ましい。
【００２３】  また、貫通孔１１は、必ずしも１つに限定するものではなく、その個数は任意に変更可能であるものの、その場合でも、貫通孔１１の下面からの高さＨが２ｍｍの周壁１２が設けられる必要がある。
【００２４】  図４は、本考案の実施形態に係る水量調整具の泡沫装置への嵌挿状況を示した図である。
図４には、本考案の実施形態に係る水量調整具１と、泡沫水生成体２と、取付キャップ３と、が図示されており、図面上方から水道水が流入するものである。水道の吐水口Ａに設けられる泡沫装置は、一般的に泡沫生成体２と取付キャップ３とから成るものである。
【００２５】  泡沫水生成体２は、円筒状から成り、上面に第１の網状体２１を配し、下面に不図示の第２の網状体を配し、円筒周壁２２には空気を取り込むための空気導入孔２３が複数個所に形成されている。
【００２６】  取付キャップ３は、泡沫水生成体２を嵌装し、吐水口部分に水密パッキング部材（不図示）を介して装着されるものである。通常、このような取付キャップ３は、吐水口Ａ部分に螺合して用いられる。
【００２７】  泡沫装置は、取付キャップ３に嵌挿された泡沫水生成体２との隙間部分から吸気して空気導入孔２３に空気を取り込む。泡沫水生成体２は、円筒周壁の内部に第１の網状体２１から流入する水量を抑えられた水道水と空気導入孔２３から取り込まれた空気とが混ざったボリューム感のある泡沫水を第２の網状体を通じて吐水する。
【００２８】  この時、水道水は、第１の網状体２１の上に載置された水量調整具１の貫通孔１１によって口径が絞られることで水圧が上昇し、貫通孔１１を通過した後で空洞領域内で一気に広がることで泡沫水生成体２内部が負圧状態となるので、空気導入孔２３からの吸気率を向上することができる。
【００２９】  図５は、本考案の実施形態に係る水量調整具の嵌挿状態を示す平面図である。
図５に示すように、水量調整具１は、泡沫水生成体２の上面に設置されている第１の網状体２１を覆うように載置される。この状態で、水蜜パッキング部材４を水量調整具１と取付キャップ３の内側とが密着するように配置して、吐水口部分に螺合される。
【００３０】  図６は、本考案の実施形態に係る水量調整具の設置場所を示す斜視図である。
図６に示すように、水量調整具を載置した泡沫水生成体を嵌装した取付キャップ３は、吐水管１００の吐水口Ａに螺合して用いられる。このように簡易な構成であることから、容易に水量調整具を取り外して清掃することが可能であり、常に清潔な状態で使用することができる。
【００３１】  泡沫水は、家庭での洗面、炊事、調理のみならず、多くの飲食店で使用され、特に飲食店では食品衛生の観点から定期的な清掃が要請されており、簡易に取り外して清掃できるということは大変重要なポイントである。
【００３２】＜実験例＞
通常の、泡沫装置のない水道水のフィン付の蛇口と、蛇口に市販の泡沫装置を取り付けたもの、それと本考案の水量調整具を用いた泡沫装置とを用いて、ほぼ同等の水圧で、２．５リットルの水を貯水するためにかかる時間を比較計測した。なお、本考案の水量調整具の貫通孔の口径は２．７ｍｍのものを用いた。
【００３３】  その結果は以下のとおりである。
（１）通常のフィン付の蛇口：                １３．２秒
（２）市販の泡沫タイプの装置：              １５．２秒
（３）本考案の水量調整具を用いた泡沫装置：  ２６．２２秒
【００３４】  このことから、本考案の水量調整具を用いた泡沫装置が、いかに節水効果が優れているかが明らかになった。
【００３５】  ちなみに、本考案の水量調整具の貫通孔の口径を段階的に異ならせた場合の２．５リットルの水を貯水するためにかかる時間は、以下のとおりである。
口径１．５ｍｍ：４７．５０秒
口径２．３ｍｍ：３４．０３秒
口径２．７ｍｍ：２６．２２秒
口径３．２ｍｍ：２１．９７秒
口径３．８ｍｍ：１９．５３秒
口径４．２ｍｍ：１８．６２秒
【００３６】  なお、例えば、上記の例で言うと、貫通孔の口径が１．０ｍｍ〜１．５ｍｍの場合、非常に小径であることから、水圧が貫通孔に一気にかかりすぎて異音を発生させる場合がある。そのため、例えば、図７（ａ）に示すように、貫通孔１１を、水道水の流入側口径のほうを流出側口径より大きく形成するようにしても良い。このように形成すると異音の発生を抑えることができる。
【００３７】  また、他の変形例として、図７（ｂ）に示すように、水道水の流入側から該貫通孔の中間位置にかけてテーパー状に収束させ、中間位置から水道水の流出側にかけて逆テーパー状に拡開するように形成するようにしても良い。図３に記載される水量調整具と図７（ａ）に記載される両方の効果を得ることが出来る。いずれにしても、貫通孔１１の下面からの高さＨが２ｍｍ以上の周壁１２が設けられていれば良い。
【００３８】＜まとめ＞
本考案に係る水量調整具は、上述した通り、泡沫水生成体に水道水が流入する直前で一気に口径を絞るため、泡沫水生成体の内部が負圧状態となることで、空気導入孔を通じて取り入れた空気を効率良く混在させてボリューム感のある泡沫水を吐水することができるので、利用者が節水を意識することなく、普段通りに開栓して使用するだけで節水効果を得られるだけでなく、使用感が柔らかく水量感の変わらない使い心地の良い泡沫水を利用することができる。
【００３９】  なお、上記実施形態は本考案の好適な実施の一例であり、これに限定されるものではなく、本考案の要旨を逸脱しない範囲において種々変形して実施することが可能となる。
【産業上の利用可能性】
【００４０】  吐水口に泡沫装置が取り付けられているタイプの水道の節水に用いることができる。
【符号の説明】
【００４１】１      水量調整具
２      泡沫水生成体
３      取付キャップ
４      水蜜パッキング部材
１１    貫通孔
１２    周壁
２１    第１の網状体
２２    円筒周壁
２３    空気導入孔
１００  吐水管
Ａ      吐水口
【図１】
0003222420.tif 000003
【図２】
0003222420.tif 000004
【図３】
0003222420.tif 000005
【図４】
0003222420.tif 000006
【図５】
0003222420.tif 000007
【図６】
0003222420.tif 000008
【図７】
0003222420.tif 000009